(57)【要約】【課題】ルームミラーの大型化及び重量化を避けながら、撮影方向の変動や画像のぶれを抑制でき、所望の撮影を可能とすることができるドライブレコーダーを提供する。【解決手段】  ドライブレコーダー１は、カメラ３００と、ドライブレコーダー本体１００と、を備え、ドライブレコーダー本体１００には、カメラ３００によって撮影された映像を記録媒体に記録する記録制御部と、撮影された映像を表示する表示部と、記録制御部と表示部とを収容する筺体１１０と、が設けられている。カメラ３００は、接続ケーブル４００を介してドライブレコーダー本体１００に接続されている。【選択図】図１
2017107474.tif 000002
【特許請求の範囲】
【請求項１】
カメラと、
該カメラによって撮影された映像を記録媒体に記録する記録制御部と、撮影された映像を表示する表示部と、前記記録制御部と前記表示部とを収容する筺体と、を有するドライブレコーダー本体と、
該ドライブレコーダー本体の一面に設けられたミラー部と、を備えたドライブレコーダーであって、
前記カメラは、接続ケーブルを介して前記ドライブレコーダー本体に接続されている、ドライブレコーダー。
【請求項２】
請求項１に記載のドライブレコーダーであって、
撮影した画像の上下方向を反転させるスイッチと、撮影した画像の左右方向を反転させるスイッチと、を備える、ドライブレコーダー。
【請求項３】
請求項２に記載のドライブレコーダーであって、
２つの前記スイッチは、前記カメラに設けられている、ドライブレコーダー。
【請求項４】
請求項１〜３のいずれか１項に記載のドライブレコーダーであって、
前記カメラは、カメラ本体と、該カメラ本体を支持するブラケットと、を備え、
前記カメラ本体は、前記ブラケットに対し３６０°回転可能である、ドライブレコーダー。
【請求項５】
請求項４に記載のドライブレコーダーであって、
前記カメラ本体と前記ブラケットとは、ボールジョイントにより連結されている、ドライブレコーダー。
【発明の詳細な説明】
【技術分野】
【０００１】
本発明は、ドライブレコーダーに関し、特に、ルームミラー一体型のドライブレコーダーに関する。
【背景技術】
【０００２】
従来よりドライブレコーダーとして、ルームミラー一体型ドライブレコーダーが知られている（例えば、特許文献１）。特許文献１に記載のルームミラー一体型ドライブレコーダーにおいては、専門業者による取り付け工事が必要となるという問題があった。そこで、特許文献２では、ルームミラーに取り付けられたカメラが車両前方にレンズを向けた状態で撮影方向を変更可能に構成された一体型ドライブレコーダーが提案されている。
【０００３】
このように構成されたドライブレコーダーにおいては、専門業者による取付工事をしなくても視界の妨げとならずに適切な画像を撮影できる。
【先行技術文献】
【特許文献】
【０００４】
【特許文献１】特開２００６−１９３０５７号公報
【特許文献２】特開２０１４−２２９０４９号公報
【発明の概要】
【発明が解決しようとする課題】
【０００５】
しかしながら、特許文献２に開示されているドライブレコーダーは、カメラがルームミラーに一体に取り付けられているため、運転者が変わった場合等にルームミラーの位置を動かすと、ドライブレコーダーの撮影方向が変わってしまい、意図した映像をとれない虞があった。
【０００６】
また、カメラをルームミラーに一体に取り付けると、カメラがルームミラーの背面から前方に突出するためルームミラーが大型化してしまい、運転者の視界を妨げることになる。さらに、カメラをルームミラーに一体に取り付けるとルームミラーの重量が重くなってしまい、車両の振動等によりルームミラーの傾きが変わり、これに伴ってカメラの撮影方向が変わってしまう虞がある。さらに、ルームミラーが重くなれば車両の振動の影響を受けやすく、画像がぶれてしまう虞がある。
【０００７】
本発明は、前述した事情に鑑みてなされたものであり、その目的は、ルームミラーの大型化及び重量化を避けながら、撮影方向の変動や画像のぶれを抑制でき、所望の撮影が可能なドライブレコーダーを提供することにある。
【課題を解決するための手段】
【０００８】
上記課題を解決するために、本発明は、以下の態様を提供する。
（１）  カメラと、
該カメラによって撮影された映像を記録媒体に記録する記録制御部と、撮影された映像を表示する表示部と、前記記録制御部と前記表示部とを収容する筺体と、を有するドライブレコーダー本体と、
該ドライブレコーダー本体の一面に設けられたミラー部と、を備えたドライブレコーダーであって、
前記カメラは、接続ケーブルを介して前記ドライブレコーダー本体に接続されている、ドライブレコーダー。
（２）  上記（１）に記載のドライブレコーダーであって、
撮影した画像の上下方向を反転させるスイッチと、撮影した画像の左右方向を反転させるスイッチと、を備える、ドライブレコーダー。
（３）  上記（２）に記載のドライブレコーダーであって、
２つの前記スイッチは、前記カメラに設けられている、ドライブレコーダー。
（４）  上記（１）〜（３）のいずれかに記載のドライブレコーダーであって、
前記カメラは、カメラ本体と、該カメラ本体を支持するブラケットと、を備え、
前記カメラ本体は、前記ブラケットに対し３６０°回転可能である、ドライブレコーダー。
（５）  上記（４）に記載のドライブレコーダーであって、
前記カメラ本体と前記ブラケットとは、ボールジョイントにより連結されている、ドライブレコーダー。
【発明の効果】
【０００９】
上記（１）の態様によれば、カメラは、接続ケーブルを介してドライブレコーダー本体に接続されているため、カメラはドライブレコーダー本体とは別体に構成されている。そのため、運転者が変わった場合等にルームミラーの位置を動かしたとしても、ドライブレコーダーの撮影方向が変わってしまうのを回避できる。また、ルームミラーの大型化を回避できるので、運転者の視界を妨げることが抑制される。さらに、ルームミラーの重量化を回避できるので、車両の振動等に起因する撮影方向の変動や画像のぶれを抑制でき、所望の撮影が可能となる。
【００１０】
上記（２）の態様によれば、天井やフロントガラスの上部に取り付けた場合でも、ダッシュボードに取り付けた場合でも画像の上下方向や左右方向を合わせて記録できる。
【００１１】
上記（３）の態様によれば、２つのスイッチがカメラに設けられているため、カメラの取付時に上下方向や左右方向を設定すれば、ドライブレコーダー本体側で改めて設定する必要がない。
【００１２】
上記（４）の態様によれば、カメラ本体がブラケットに対し３６０°回転可能であるため、全ての方向や角度でカメラ位置の調整が可能となる。また、天井に配置した場合、車内カメラとしても利用できる。
【００１３】
上記（５）の態様によれば、簡易な構成で、容易に撮影方向を変更できる。
【図面の簡単な説明】
【００１４】
【図１】本発明に係る一実施形態のドライブレコーダーの構成を示す斜視図である。
【図２】ドライブレコーダー本体を後面側（ミラー部側）から見た斜視図である。
【図３】ドライブレコーダー本体を前面側（フロントガラス側）から見た斜視図である。
【図４】カメラの構成を示す斜視図である。
【図５】ブラケットに対しカメラ本体の移動方向を説明する図であり、（ａ）はカメラを側方から見た図であり、（ｂ）はカメラを後方から見た図である。
【図６】ドライブレコーダーの電気的な論理ブロックを示すブロック図である。
【図７】カメラをフロントガラスに取付けた説明図である。
【図８】カメラをダッシュボードに取付けた説明図である。
【発明を実施するための形態】
【００１５】
以下、本発明のドライブレコーダーの一実施形態を、添付図面に基づいて説明する。なお、下記説明文において、特に指定がない場合において、前後、左右、上下とは、ドライブレコーダーの設置状態における運転者から見た方向を示している。
【００１６】
図１は、本発明に係る一実施形態のドライブレコーダー１の構成を示す斜視図である。ドライブレコーダー１は、ドライブレコーダー本体１００とカメラ３００とを有しており、ドライブレコーダー本体１００とカメラ３００とは、接続ケーブル４００によって電気的に接続されている。
【００１７】
図２は、ドライブレコーダー本体１００を後面側から見た斜視図であり、図３は、ドライブレコーダー本体１００を前面側から見た斜視図である。ドライブレコーダー本体１００は、矩形状の筐体１１０の後面にルームミラーとして機能するミラー部１２０が固定されている。また、ミラー部１２０の右側方には、表示部としての液晶ディスプレイ１３０が組み込まれており、側面に設けられた操作スイッチ１４１により操作可能となっている。また、筐体１１０の下面部には、記録媒体５００（例えば、ｍｉｃｒｏＳＤ）を収容する記録媒体収容部１５０が形成されている。
【００１８】
筐体１１０の前面下側には、所定の間隔で一対の下固定支持部１７１、１７１が前方に突出して設定されているとともに、前面上部には下固定支持部１７１、１７１に対応するように一対の上固定支持部１７２、１７２が前方に突出して設定されている。また、記録媒体収容部１５０に隣接するように、マイク１４０（図６参照）の音声取込口１４２が形成されており、その内部にマイク１４０が配設けられている。
【００１９】
以上のように構成されたドライブレコーダー本体１００は、カメラ３００が別体であるため、軽量薄型でフラットな形状となっており、カメラ３００がドライブレコーダー本体１００の前面から突出しない構成となっている。なお、ドライブレコーダー本体１００には、その他の構成としてリセットボタン、電源スイッチ、ＬＥＤランプ、ＤＣコード接続ジャック、スピーカーなどが設けられていてもよい。
【００２０】
図４は、カメラ３００の構成を示す斜視図である。カメラ３００は、カメラ本体３１０とブラケット３２０とから構成されている。カメラ本体３１０は、略直方体形状を有し、カメラ本体３１０の前方側中央部には、カメラレンズ３１２（図５参照）が配設されている。カメラ本体３１０の内部には、カメラレンズ３１２からの映像を電気信号に変換するＣＭＯＳイメージセンサ３１２ａ（図６参照）等が配設されている。また、カメラ本体３１０の後面には、上下反転スイッチ３１４、及び左右反転スイッチ３１６が設定されている。また、カメラ本体３１０の上面の中央部には、ブラケット３２０と係合する係合溝３１８が形成されている。
【００２１】
ブラケット３２０は、図４に示すように、平板状のマウントベース３２２と、カメラ本体３１０の係合溝３１８と係合する係合突起３３０ａが設けられたカメラ支持部３３０とが、ボールジョイント３２５により結合されている。ボールジョイント３２５は、カメラ支持部３３０から延びるボールスタッド３２８の先端に設けられたボール３２６と、マウントベース３２２の後面に一体に形成され、ボール３２６を回動可能に収容するボールソケット３２４と、から構成されている。ボールジョイント３２５は、カメラ本体３１０の係合溝３１８と、カメラ支持部３３０の係合突起３３０ａとを係合させてカメラ本体３１０がブラケット３２０に支持された状態において、カメラ本体３１０の位置が維持されるように、且つ、必要に応じてカメラ本体３１０を所定の方向に動かすことで回動するように摩擦係数が設定されている。
【００２２】
このようにボールジョイント３２５を用いることで、図５（ａ）及び（ｂ）に示すように、ブラケット３２０に対しカメラ本体３１０を、ボール３２６を中心に前後方向に移動させたり、左右方向に移動させたり、前後左右方向の位置を変えずにその場で回転させたりすることができる。
【００２３】
カメラ本体３１０は、ドライブレコーダー本体１００から分離し、撮影機能のみを有していればよく、表示部を備えたカメラ等に比べて小さく構成することができる。
【００２４】
図６は、ドライブレコーダー１の電気的な論理ブロックを示すブロック図である。なお、図６のブロック図は、あくまで論理的なブロックを示しており、一部を集約したＩＣ回路で構成するなど、必ずしも実際の電気回路構成と一致するものではない。
【００２５】
ドライブレコーダー本体１００の内部には、所定の電子基盤上にＭＰＵ（マイクロプロセッサユニット）２００がマウントされている。そして、ＭＰＵ２００に、上述した液晶ディスプレイ１３０、マイク１４０等が、所定のインターフェースやＡＤ変換回路などを介して接続されている。さらに、ＭＰＵ２００には、ＥＥＰＲＯＭ２１０、ＲＡＭ２２０、メモリーカードＩ／Ｆ２３０、３Ｇセンサ２４０、時計２５０、ＧＰＳ受信機２６０が接続され、メモリーカードＩ／Ｆ２３０は記録媒体５００を着脱可能に収容する記録媒体収容部１５０に接続されている。ＭＰＵ２００は、カメラ３００によって撮影された映像を記録媒体５００に記録する記録制御部として機能を有する。なお、ＥＥＰＲＯＭ２１０は不揮発性メモリ、ＲＡＭ２２０はランダムアクセスメモリである。
【００２６】
また、カメラ本体３１０の、ＣＭＯＳイメージセンサ３１２ａ、上下反転スイッチ３１４、及び左右反転スイッチ３１６は、カメラ側コネクタ３１７に電気的に接続されている。また、ＭＰＵ２００は、本体側コネクタ１１２に電気的に接続されている。そして、接続ケーブル４００の一端はカメラ側コネクタ３１７に接続され、他端は本体側コネクタ１１２に接続される。従って、ＣＭＯＳイメージセンサ３１２ａ、上下反転スイッチ３１４、及び左右反転スイッチ３１６の電気信号が、接続ケーブル４００を介してＭＰＵ２００に入力されることになる。
【００２７】
なお、本実施形態では、上下反転スイッチ３１４及び左右反転スイッチ３１６がカメラ３００に設けられているが、反転スイッチがドライブレコーダー本体１００に設けられ、反転操作がドライブレコーダー本体１００で行われるように構成してもよい。また、スイッチに限らず、ソフトウェアの設定メニューなどから反転操作が行われるように構成してもよく、センサーなどを利用して自動的に反転操作が行われるように構成してもよい。以下の説明では、上下反転スイッチ３１４及び左右反転スイッチ３１６がカメラ３００に設けられており、カメラ３００の上下反転スイッチ３１４及び左右反転スイッチ３１６にて反転操作が行われる場合を例示する。
【００２８】
次に、ドライブレコーダー１の車両への取付け状態について説明する。図７は、カメラ３００をフロントガラスＦＧに取付けた状態を示している。カメラ３００を、フロントガラスＦＧへ取付ける場合、ブラケット３２０に対しカメラ３００が下方に位置するように吊り下げられた状態となる。なお、フロントガラスＦＧに取付ける代わりに、フロントガラスＦＧ近傍の天井に取り付けてもよい。
【００２９】
まず、ドライブレコーダー本体１００の一対の下固定支持部１７１、１７１と一対の上固定支持部１７２、１７２を、車両に備え付けの不図示のルームミラーの上下に挟み込んでドライブレコーダー本体１００を固定する。
【００３０】
次に、ブラケット３２０のマウントベース３２２を、図示略の両面テープによってフロントガラスＦＧの所定の部位に固着する。続いて、カメラ本体３１０の係合溝３１８を、ブラケット３２０のカメラ支持部３３０の係合突起３３０ａに合わせて、カメラ本体３１０をスライドさせて、カメラ本体３１０とブラケット３２０を結合する。なお、カメラ本体３１０の係合溝３１８を、ブラケット３２０のカメラ支持部３３０の係合突起３３０ａに合わせて結合した状態で、ブラケット３２０のマウントベース３２２をフロントガラスＦＧの所定の部位に固着してもよい。
【００３１】
次に、車両前方の所望の位置が撮影できるように、カメラ本体３１０をブラケット３２０に対し回転させながら角度を上下左右に調整する。
【００３２】
最後に、接続ケーブル４００をカメラ本体３１０のカメラ側コネクタ３１７とドライブレコーダー本体１００の本体側コネクタ１１２に接続し、コードクリップなどによって接続ケーブル４００を固定する。なお、接続ケーブル４００をカメラ本体３１０とドライブレコーダー本体１００に接続した状態で、上記した作業を行い、最後にコードクリップなどによって接続ケーブル４００を固定してもよい。
【００３３】
なお、カメラ３００の車両への取付けについては、フロントガラスＦＧに取付ける場合に限らず、ダッシュボードＤＢに取付けてもよい。図８は、カメラ３００をダッシュボードＤＢに取付けた状態を示している。カメラ３００を、ダッシュボードＤＢへ取付ける場合、ブラケット３２０に対しカメラ３００が上方に位置するように載置した状態となる。
【００３４】
なお、このカメラ３００をダッシュボードＤＢに取付けた場合には、カメラ３００をフロントガラスＦＧに取付けた場合に対し、映像の上下が反転してしまう。そこで、カメラ本体３１０の、上下反転スイッチ３１４をＯＮとすることで、映像の向きを上下反転すると、運転者の視界と同様な状態に合わせることができる。
【００３５】
また、その他の実施形態として、カメラ３００をリアガラスやリアガラス近傍の天井などに取付けて、車両の後方側を撮影するようにすることもできる。この場合は、接続ケーブル４００をリアガラス側まで配策すればよく、さらに左右反転スイッチ３１６をＯＮとして、映像を左右反転のみ実施することで、運転者にとって、ルームミラーに実際に映る景色と同じ向きの映像とすることができるので違和感がない。
【００３６】
また、カメラ３００をリヤガラス下のリヤシェルフに取り付けて、車両の後方側を撮影するようにすることもできる。この場合、上下反転スイッチ３１４と左右反転スイッチ３１６を両方ともＯＮとして、映像を上下左右反転実施することで、運転者にとって、ルームミラーに実際に映る景色と同じ向きの映像とすることができるので違和感がない。
【００３７】
その他にも、カメラ３００をフロントガラス近傍の天井に取付け、カメラ３００を車室側に向けて車室内を撮影するようにするなど、カメラ３００がルームミラーに対してフリーであるため多様な使用状態が可能である。
【００３８】
また、カメラ３００が液晶ディスプレイ１３０と別体であるため、従来の一体型のように、カメラを室内側へ向けるとディスプレイが後ろ向きになってしまうということがない。そのため、車両の後方側を撮影する場合や、車室内を撮影する場合など、どのような場合も、運転者は液晶ディスプレイ１３０で映像を見ることができる。
【００３９】
次に、ドライブレコーダー１の動作について説明する。
車のエンジンがかかると自動的にドライブレコーダー１がＯＮ状態となり、常時録画が自動的に開始されるとともに常時録画ファイルが生成され、記録媒体５００にカメラ３００によって撮影された映像が記録される。なお、液晶ディスプレイ１３０には、カメラ３００からの映像を映すこともできる。
【００４０】
常時録画中に、３Ｇセンサ２４０によって所定の大きさの外部衝撃を検知すると、常時録画ファイルとは異なる、所定の時間のイベント録画ファイルが生成されるとともに記録媒体５００にカメラ３００によって撮影された映像が記録される。この場合に、イベント録画ファイルには、カメラ３００からの映像データとともに、マイク１４０からの音声データ、時計２５０からの時刻データ、ＧＰＳ受信機２６０からの位置データなども同時に記録される。
【００４１】
以上説明したように、本実施形態のドライブレコーダー１によれば、カメラ本体３１０は、接続ケーブル４００を介してドライブレコーダー本体１００に接続されているため、カメラ本体３１０はドライブレコーダー本体１００とは別体に構成されている。そのため、運転者が変わった場合等にルームミラーの位置を動かしたとしても、ドライブレコーダー１の撮影方向が変わってしまうのを回避できる。また、ルームミラーの大型化を回避できるので、運転者の視界を妨げることが抑制される。さらに、ルームミラーの重量化を回避できるので、車両の振動等に起因する撮影方向の変動や画像のぶれを抑制でき、所望の撮影が可能となる。
【００４２】
また、本実施形態のドライブレコーダー１によれば、画像のぶれが抑制されるため、カメラに別途振れ防止装置などを付加する必要がなく、コストを抑制できるとともに、信頼性を高めることができる。
【００４３】
また、撮影した画像の上下方向を反転させる上下反転スイッチ３１４と、撮影した画像の左右方向を反転させる左右反転スイッチ３１６とを備えているため、カメラ３００を天井やフロントガラスＦＧの上部に吊り下げ状態で取付けた場合や、ダッシュボードＤＢに上向きに取付けた場合など、カメラ３００をどのように設置しても、画像の上下方向や左右方向を合わせて記録できる。
【００４４】
また、上下反転スイッチ３１４と左右反転スイッチ３１６は、カメラ３００に設けられているため、カメラ３００の取付時に上下方向や左右方向を設定すれば、車両停車中などにドライブレコーダー本体１００側で改めて設定する必要がない。
【００４５】
また、カメラ本体３１０がマウントベース３２２に対し３６０°回転可能であるため、全ての方向や角度でカメラ位置の調整が可能となる。また、天井に配置した場合、車内カメラとしても利用できる。
【００４６】
また、カメラ本体３１０とマウントベース３２２とは、ボールジョイント３２５により連結されているため、簡易な構成で、容易に撮影方向を変更できる。
【００４７】
以上、本発明の一実施形態について説明したが、本発明はこれに限るものではなく、適宜変更できる。
例えば、液晶ディスプレイ１３０は、タッチパネル式としてもよく、遠隔操作のリモコン式としてもよい。また、カメラ３００を複数台設定して、前方や後方を同時に撮影するようにしてもよい。
【００４８】
また、記録媒体として、ｍｉｃｒｏＳＤ等の着脱式の記録媒体を例示したが、ドライブレコーダー本体１００に備え付けのハードディスク等であってもよい。
【符号の説明】
【００４９】
１        ドライブレコーダー
１００    ドライブレコーダー本体
１１０    筐体
１２０    ミラー部
１３０    液晶ディスプレイ（表示部）
３００    カメラ
３１０    カメラ本体
３２２    ブラケット
３２５    ボールジョイント
３１４    上下反転スイッチ
３１６    左右反転スイッチ
４００    接続ケーブル
５００    記録媒体
【図１】
2017107474.tif 000003
【図２】
2017107474.tif 000004
【図３】
2017107474.tif 000005
【図４】
2017107474.tif 000006
【図５】
2017107474.tif 000007
【図６】
2017107474.tif 000008
【図７】
2017107474.tif 000009
【図８】
2017107474.tif 000010